(57)【特許請求の範囲】
【請求項１】
少なくとも染料又はアルカリ剤が配合された第１剤と、少なくとも過酸化水素が配合された第２剤とからなる二剤式染毛剤を収容するための染毛剤容器であって、
前記第１剤を収容する第１包装体と、前記第２剤を収容する第２包装体と、第１包装体と第２包装体を収容する第３包装体とを備え、第１包装体を染料又はアルカリ剤の透過を防ぐ材料によって形成し、第３包装体には、第３包装体の外部から内部への空気の流入を許容し、内部から外部への空気の流出を阻止する逆止弁を設け、かつ第３包装体を押圧することにより、第３包装体の吐出口から第１剤と第２剤が吐出されるように構成し、前記第１包装体を少なくともアルミニウムフィルム又はシリカ蒸着膜を含む積層体によって形成し、
前記第２包装体を樹脂フィルムからなる外層と、樹脂フィルムからなる内層と、前記外層と前記内層との間に設けられるアルミニウムフィルム又はシリカ蒸着膜とからなる積層体によって形成し、前記外層と前記アルミニウムフィルム又はシリカ蒸着膜とを連通した貫通孔により前記第２包装体の一部を前記内層の単層構造とすることで前記第２包装体の一部を前記第２包装体の内部から外部へ酸素を透過する酸素透過部として構成したことを特徴とする染毛剤容器。
【請求項２】
前記第１包装体と第２包装体を、第３包装体に対して分離可能に構成したことを特徴とする請求項１に記載の染毛剤容器。
【発明の詳細な説明】
【０００１】
【発明の属する技術分野】
この発明は、酸化染毛剤、半永久染毛料、毛髪脱色剤等の染毛剤を収容するための染毛剤容器に関するものである。詳しくは、第１剤と第２剤とからなる二剤式染毛剤を収容するための染毛剤容器に関するものである。
【０００２】
【従来の技術】
従来、第１剤と第２剤とからなる二剤式の薬品又は化粧品を、第１剤と第２剤とが接触しないように一つの容器内に保存するための容器としては、特開平８−１６４９５４号公報に開示されたチューブ容器が知られている。このチューブ容器は、アウターチューブの内部に２本のインナーチューブを配設した構成となっており、各インナーチューブに第１剤と第２剤とがそれぞれ封入されている。そして、アウターチューブを押圧することによって第１剤と第２剤を同時に絞り出して使用することができるようになっている。
【０００３】
一方、酸化染毛剤、半永久染毛料、毛髪脱色剤等の二剤式染毛剤は、少なくとも染料又はアルカリ剤が配合された第１剤と、少なくとも過酸化水素が配合された第２剤とからなる。この第１剤と第２剤はそれぞれ別々の容器で保存され、使用直前に混合して使用されるようになっている。
【０００４】
【発明が解決しようとする課題】
ところが、二剤式の薬品又は化粧品として二剤式染毛剤を特開平８−１６４９５４号公報に開示されたチューブ容器に適用した場合には、二剤式染毛剤の第１剤を安定して保存することができないという問題があった。これは、第１剤を封入したインナーチューブにおいて、インナーチューブの材質によっては第１剤中の染料やアルカリ剤がインナーチューブを透過して外に漏出するおそれがあるためである。
【０００５】
この発明は、上記のような従来技術に存在する問題点に着目してなされたものである。その目的とするところは、二剤式染毛剤の第１剤の保存安定性を向上させることができる染毛剤容器を提供することにある。
【０００６】
【課題を解決するための手段】
上記の目的を達成するために、請求項１に記載の発明の染毛剤容器は、少なくとも染料又はアルカリ剤が配合された第１剤と、少なくとも過酸化水素が配合された第２剤とからなる二剤式染毛剤を収容するための染毛剤容器であって、
前記第１剤を収容する第１包装体と、前記第２剤を収容する第２包装体と、第１包装体と第２包装体を収容する第３包装体とを備え、第１包装体を染料又はアルカリ剤の透過を防ぐ材料によって形成し、第３包装体には、第３包装体の外部から内部への空気の流入を許容し、内部から外部への空気の流出を阻止する逆止弁を設け、かつ第３包装体を押圧することにより、第３包装体の吐出口から第１剤と第２剤が吐出されるように構成し、前記第１包装体を少なくともアルミニウムフィルム又はシリカ蒸着膜を含む積層体によって形成し、
前記第２包装体を樹脂フィルムからなる外層と、樹脂フィルムからなる内層と、前記外層と前記内層との間に設けられるアルミニウムフィルム又はシリカ蒸着膜とからなる積層体によって形成し、前記外層と前記アルミニウムフィルム又はシリカ蒸着膜とを連通した貫通孔により前記第２包装体の一部を前記内層の単層構造とすることで前記第２包装体の一部を前記第２包装体の内部から外部へ酸素を透過する酸素透過部として構成したことを特徴とするものである。
【０００７】
請求項２に記載の発明の染毛剤容器は、請求項１に記載の発明において、前記第１包装体と第２包装体を、第３包装体に対して分離可能に構成したことを特徴とするものである。
【０００８】
【発明の実施の形態】
（第１実施形態）
以下、この発明の第１実施形態を図１〜図４に従って説明する。
【０００９】
図１及び図２に示すように、染毛剤容器１１は、第１包装体１２と第２包装体１３が第３包装体１４の内部に収容された構成となっている。
第１包装体１２と第２包装体１３は偏平袋状に形成され、第１包装体１２には二剤式染毛剤の第１剤が収容され、第２包装体１３には二剤式染毛剤の第２剤が収容されている。また、第１包装体１２と第２包装体１３の一側縁には、それぞれ円筒状のノズル１５が突設されている。このノズル１５の外周面には、図３に示すように、その周方向に延びる凹条１６が形成されている。そして、第１包装体１２と第２包装体１３にそれぞれ収容された第１剤と第２剤は、ノズル１５からそれぞれ外方へ吐出されるようになっている。
【００１０】
二剤式染毛剤としては、酸化染毛剤、半永久染毛料、毛髪脱色剤等が挙げられる。酸化染毛剤の場合、第１剤には酸化染料中間体や直接染料といった染料のほか、アルカリ剤等が配合され、第２剤には酸化剤としての過酸化水素のほか、安定剤、ｐＨ調整剤等が配合されている。半永久染毛料の場合には、第１剤は前記酸化染毛剤の第１剤から酸化染料中間体を除いた、直接染料のみを染料として配合したものが使用され、第２剤は前記酸化染毛剤の第２剤と同成分のものが使用される。また、毛髪脱色剤の場合には、第１剤は前記酸化染毛剤の第１剤から染料を除いたものが使用され、第２剤は前記酸化染毛剤の第２剤と同成分のものが使用される。
【００１１】
第１包装体１２と第２包装体１３は、図４（ａ）に示すような積層体としてのシート材１７によって形成されている。このシート材１７は、アルミニウムフィルム１８の両面に樹脂フィルム１９ａ，１９ｂを接合してなる三層構造をなしている。
【００１２】
また、図１及び図２に示すように、第２包装体１３には、その外表面側に開口する酸素透過部としての凹部２０が少なくとも一つ形成されている。この凹部２０は、図４（ｂ）に示すように、外層側の樹脂フィルム１９ａとアルミニウムフィルム１８とにそれぞれ形成された貫通孔２１が連通することによって構成されている。このため、シート材１７は、この凹部２０の位置では内層側の樹脂フィルム１９ｂのみからなる単層構造となっており、この凹部２０において酸素を透過することができるようになっている。
【００１３】
前記アルミニウムフィルム１８の厚みは５〜２０μｍが好ましい。この厚みが５μｍよりも薄いと第１剤に配合される染料やアルカリ剤の透過を十分防ぐことができない。一方、２０μｍよりも厚いとシート材１７が厚くなりすぎて、第１及び第２包装体１２，１３から中身を吐出させるのが容易でなくなる。
【００１４】
前記各樹脂フィルム１９ａ，１９ｂは、単層又は二層以上に形成されている。樹脂フィルム１９ａ，１９ｂの各層を形成する合成樹脂としては、例えば高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体けん化物（ＥＶＯＨ）、ポリアクリロニトリル、ポリエチレンテレフタレート（ＰＥＴ）、ポリプロピレン（ＰＰ）、ポリエステル、ポリ塩化ビニル、ナイロン等が挙げられ、これらのうちのいずれかが単独で又は二種以上を混合して使用される。これらのうち、内層側の樹脂フィルム１９ｂを形成する合成樹脂としては、第１剤及び第２剤の液性の点からＰＥＴ、ＭＤＰＥ、ＬＤＰＥ、ＬＬＤＰＥが好ましく、その中でも染料の透過を防ぐという点からＰＥＴがより好ましい。
【００１５】
図１及び図２に示すように、第３包装体１４は、チューブ容器２２とチューブ容器２２の一端の吐出口２３を閉鎖するためのキャップ２４とから構成されている。
【００１６】
チューブ容器２２の一端には円柱状の柱状突起２５が設けられている。この柱状突起２５には軸線方向に延びる一対の取付孔２６が貫通形成され、その先端がそれぞれ第１剤と第２剤を吐出する吐出口２３となっている。図３に示すように、各取付孔２６の内周面にはその周方向に延びる凸条２７が形成されている。そして、第１包装体１２と第２包装体１３のノズル１５が柱状突起２５の基端側から各取付孔２６に挿入され、ノズル１５の凹条１６と取付孔２６の凸条２７とが互いに嵌合することによって第１包装体１２と第２包装体１３がチューブ容器２２の内部に収容固定されている。
【００１７】
また、柱状突起２５の外周面には雄ねじ２８が螺刻されている。そして、この雄ねじ２８と前記キャップ２４の内周面に螺刻された図示しない雌ねじとの間の螺合関係によってキャップ２４が柱状突起２５に着脱可能に取付けられ、これによりチューブ容器２２の吐出口２３が閉鎖されている。
【００１８】
さらに、図３に示すように、柱状突起２５には逆止弁２９が設けられている。この逆止弁２９は、柱状突起２５の基端に貫設された通気孔３０と、その通気孔３０の内端に形成された薄板状の弁体３１とから構成されている。弁体３１は、図３に実線で示す通気孔３０を閉鎖する位置と、図３に二点鎖線で示す通気孔３０を開放する位置との間を移動可能に形成されている。
【００１９】
チューブ容器２２は、可撓性を有する合成樹脂により単層構造又は二層以上の積層構造に構成されている。チューブ容器２２を形成する可撓性を有する合成樹脂としては、前述したシート材１７の樹脂フィルム１９ａ，１９ｂの各層を形成する合成樹脂が挙げられ、これらのうちのいずれかが単独で又は二種以上を混合して使用される。また、チューブ容器２２は透明又は半透明状に形成するのが好ましい。
【００２０】
次に、二剤式染毛剤の第１剤及び第２剤について詳細に説明する。
酸化染毛剤の第１剤に配合される酸化染料中間体としては、フェニレンジアミン類、アミノフェノール類、トルイレンジアミン類、アミノニトロフェノール類、ジフェニルアミン類、ジアミノフェニルアミン類、Ｎ−フェニルフェニレンジアミン類、ジアミノピリジン類等及びそれらの塩類から選ばれた少なくとも一種が使用される。塩類としては塩酸塩、硫酸塩、酢酸塩等が挙げられる。これらの中でもパラフェニレンジアミン、パラトルイレンジアミン、Ｎ，Ｎ−ビス（２−ヒドロキシエチル）−パラフェニレンジアミン、Ｎ−フェニル−パラフェニレンジアミン、４，４’−ジアミノジフェニルアミン、２−クロロパラフェニレンジアミン、Ｎ，Ｎ−ジメチルパラフェニレンジアミン、パラアミノフェノール、２，６−ジクロロパラフェニレンジアミン、パラアミノフェニルスルファミン酸及びそれらの塩類が染毛力の点から好ましい。
【００２１】
酸化染料中間体の配合量は、第１剤の全重量に対して０．０１〜１５重量％が好ましく、０．０１重量％よりも少ないと十分な染毛効果が得られず、１５重量％を超えても、その効果は変わらず経済的ではない。さらには０．１〜１０重量％が特に好ましく、０．１重量％以上配合することにより、より優れた染毛効果が得られる。一方、１０重量％を超えた場合は染毛効果の上昇は少なくなる。
【００２２】
また、レゾルシン、ピロガロール、カテコール、メタアミノフェノール、メタフェニレンジアミン、オルトアミノフェノール、２，４−ジアミノフェノール、１，２，４−ベンゼントリオール、トルエン−３，４−ジアミン、トルエン−２，４−ジアミン、ハイドロキノン、α−ナフトール、２，６−ジアミノピリジン、１，５−ジヒドロキシナフタレン、５−アミノオルトクレゾール、ジフェニルアミン、パラメチルアミノフェノール、フロログルシン、２，４−ジアミノフェノキシエタノール、没食子酸、タンニン酸、没食子酸エチル、没食子酸メチル、没食子酸プロピル、五倍子、５−（２−ヒドロキシエチルアミノ）−２−メチルフェノール等及びそれらの塩から選ばれた少なくとも一種を第１剤に配合してもよい。
【００２３】
その配合量は０．０１〜１０重量％が好ましく、０．０１重量％よりも少ないと十分な染色性が得られず、１０重量％を超えても、その効果は変わらず経済的ではない。さらには０．１〜５重量％が特に好ましく、０．１重量％以上配合することにより、より優れた染色性が得られる。一方、５重量％を超えた場合は染色性の上昇は少なくなる。その他、「医薬部外品原料規格」（１９９１年６月発行、薬事日報社）に収載されたものを適宜配合してもよい。
【００２４】
第１剤に配合される直接染料としては、４−ニトロ−ｏ−フェニレンジアミン、２−ニトロ−ｐ−フェニレンジアミン、ピクラミン酸、１−アミノ−４−メチルアントラキノン、１，４−ジアミノアントラキノン、２−アミノ−４−ニトロフェノール、２−アミノ−５−ニトロフェノール、ピクリン酸及びそれらの塩、並びに、「医薬品等に使用することができるタール色素を定める省令」（昭和４１年告示、厚生省）により定められた酸性染料である、赤色２号、赤色３号、赤色１０２号、赤色１０４号の（１）、赤色１０５号の（１）、赤色１０６号、赤色２０１号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、黄色４号、黄色５号、黄色２０２号の（１）、黄色２０２号の（２）、黄色２０３号、黄色４０２号、黄色４０３号の（１）、黄色４０６号、黄色４０７号、だいだい色２０５号、だいだい色２０７号、だいだい色４０２号、緑色３号、緑色２０４号、緑色２０５号、緑色４０１号、緑色４０２号、紫色４０１号、青色１号、青色２号、青色２０２号、青色２０３号、青色２０５号、かっ色２０１号、黒色４０１号等から選ばれた少なくとも一種が使用される。そして、この直接染料を配合することにより、染め上がり及び染色性に、より優れた効果が得られる。
【００２５】
直接染料の配合量は０．００１〜１０重量％が好ましく、０．００１重量％よりも少ないと十分な染め上がり及び染色性が得られず、１０重量％を超えても、その効果は変わらず経済的ではない。さらには、０．０１〜５重量％が特に好ましく、０．０１重量％以上配合することにより、より優れた染め上がり及び染色性が得られる。一方、５重量％を超えた場合は染め上がり及び染色性の上昇は少なくなる。
【００２６】
第１剤に配合されるアルカリ剤としては、アンモニア、トリエタノールアミン、ジエタノールアミン、モノエタノールアミン、イソプロパノールアミン、ジイソプロパノールアミン、２−アミノ−２−メチル−１−プロパノール、２−アミノ−２−メチル−１，３−プロパンジオールから選ばれる１種又は２種以上が用いられる。第１剤のｐＨはｐＨ８〜１１に調整される。
【００２７】
第２剤に配合される過酸化水素の配合量は、第２剤の全重量に対して０．１〜９重量％が好ましく、０．１重量％よりも少ないと良好な染毛結果あるいはブリーチ結果が得られず、９重量％を超えると毛髪の損傷のおそれがある。さらには、２．０〜６．０重量％が特に好ましく、２．０重量％以上配合することにより、優れた染毛力あるいはブリーチ効果が得られる。一方、６．０重量％以下にすることにより毛髪の損傷のおそれがより少なくなる。
【００２８】
第２剤に配合される安定剤としては、例えば、フェナセチン、ＥＤＴＡ、８−ヒドロキシキノリン、アセトアニリド、ピロリン酸ナトリウム、バルビツール酸、尿酸、タンニン酸、パラベン等から選ばれた少なくとも一種が使用される。
【００２９】
第２剤に配合されるｐＨ調整剤としては、例えば、リン酸、クエン酸、硫酸、酢酸、乳酸、酒石酸等が使用され、第２剤のｐＨは２〜６、好ましくは３〜５に調整される。
【００３０】
また、第１剤と第２剤の粘度は、１０００〜１０００００ｃｐｓの範囲が好ましく、５０００〜５００００ｃｐｓの範囲がさらに好ましい。この粘度が１０００ｃｐｓ未満であると、ブラシ等にとったときに垂れ落ちるおそれがあり好ましくない。一方、１０００００ｃｐｓを超えると、第１及び第２包装体１２，１３からそれぞれ吐出させるのが困難となるとともに、延びが悪く、髪への付着性も悪いため髪全体に均一に塗布することが困難となる。
【００３１】
さらに、第１剤と第２剤を同量ずつ混合することが望ましい二剤式染毛剤の場合には、第１剤と第２剤の粘度の比は、１：５〜５：１の範囲が好ましく、１：２〜２：１の範囲がさらに好ましい。この比が１：５〜５：１の範囲外の場合には、チューブ容器２２を押圧して第１包装体１２と第２包装体１３から同時に第１剤と第２剤を吐出させたときに、粘度の低い方がより多く吐出されるため、第１剤と第２剤で吐出される量が大きく異なってしまう。従って、それらを混合した染毛剤を髪に塗布しても期待する染毛効果を得ることができない。
【００３２】
次に、前記のように構成された染毛剤容器１１の作用を説明する。
さて、二剤式染毛剤の第１剤と第２剤をそれぞれ第１包装体１２と第２包装体１３に収容した状態で保存しているとき、第１包装体１２においては、第１剤中の染料やアルカリ剤が内側から徐々にシート材１７に浸透し、外部に漏出しようとする。しかし、染料やアルカリ剤はアルミニウムフィルム１８を透過することができないため、第１包装体１２の表面までは浸透することができず、よって第１剤中の染料やアルカリ剤の量が保存時に減少するおそれはない。特に、アルカリ剤の中でも揮発性アルカリのアンモニアはシート材１７を透過しやすいため、アルミニウムフィルム１８による透過防止効果は高い。
【００３３】
また、第２包装体１３においては、第２剤中の過酸化水素が少しずつ分解されて酸素が発生することにより、徐々に内圧が上昇する。しかし、一定の圧力に達すると凹部２０から酸素が外部に排出されるため、第２包装体１３が保存時に膨張するおそれはない。
【００３４】
染毛剤容器１１に収容された二剤式染毛剤を使用する場合には、まずチューブ容器２２のキャップ２４を外し、チューブ容器２２を押圧して潰す。すると、チューブ容器２２の内部が加圧され、第１包装体１２と第２包装体１３が収縮される。その結果、各包装体１２，１３の内部に収容された第１剤と第２剤がノズル１５からそれぞれ吐出され、チューブ容器２２の吐出口２３から同時に吐出される。
【００３５】
なお、チューブ容器２２を押圧したときには、チューブ容器２２の内圧の上昇によって弁体３１が図３に実線で示す通気孔３０を閉鎖する位置へ移動するため、チューブ容器２２の内部から外部への空気の流出が阻止される。従って、逆止弁２９から圧力が抜けることはなく、内圧の上昇はそのまま第１包装体１２と第２包装体１３の収縮に寄与することとなる。
【００３６】
次に、チューブ容器２２の押圧を止めると、第１剤と第２剤の吐出が停止される。このとき、チューブ容器２２が押し潰された状態から復元しようとする力によってチューブ容器２２の内部は減圧される。すると、弁体３１が通気孔３０の内端から離間する方向へ吸引され、図３に二点鎖線で示す通気孔３０を開放する位置へ移動する。このため、通気孔３０を経由してチューブ容器２２の外部から内部へ空気が流入し、その結果チューブ容器２２は元の形状に回復する。一方、第１包装体１２と第２包装体１３は、チューブ容器２２の内部へ流入した空気によって収縮した状態が維持され、元の形状に回復することはない。
【００３７】
以上のように、この第１実施形態によれば次のような効果が発揮される。
・  第１包装体１２はアルミニウムフィルム１８の両面に樹脂フィルム１９ａ，１９ｂを接合したシート材１７によって形成されている。このため、第１剤中の染料やアルカリ剤が第１包装体１２の表面まで浸透するのを防止し、第１剤中の染料やアルカリ剤が保存時に次第に減少するのを防止することができる。よって、二剤式染毛剤の第１剤の保存安定性を向上させることができる。
【００３８】
・  第２包装体１３を形成するシート材１７には凹部２０が形成され、この凹部２０において酸素を透過することができるようになっている。このため、第２剤中の過酸化水素が分解されて生じる酸素を第２包装体１３の外に排出することができ、保存時に第２包装体１３が膨張するおそれがない。よって、二剤式染毛剤の第２剤の保存安定性を向上させることができる。
【００３９】
・  第１包装体１２と第２包装体１３を例えば手で直接押圧した場合には、手の触れた部分に力が集中するため、第１包装体１２と第２包装体１３を均等に押圧することは困難であり、第１剤と第２剤で吐出量が異なるおそれがある。しかし、本実施形態ではチューブ容器２２の内圧が上昇して第１包装体１２と第２包装体１３が収縮されることによって第１剤と第２剤が吐出されるようになっている。このため、両包装体１２，１３の素材、形状がほぼ同一で第１剤と第２剤の粘度がほぼ等しい場合には、第１包装体１２と第２包装体１３をほぼ均等に収縮させることができ、第１剤と第２剤を簡単にほぼ同量ずつ吐出させることができる。また、この収縮は各包装体１２，１３内の第１剤と第２剤の残量の多少に影響されないので、第１剤と第２剤が残り少ない場合でも使用性が低下することはない。
【００４０】
・  チューブ容器２２の押圧を止めたとき、第１包装体１２と第２包装体１３では収縮された状態が維持されるため、第１包装体１２と第２包装体１３に空気が流入したり、一旦吐出させた第１剤又は第２剤が吸入されたりするおそれがない。従って、第１剤と第２剤は、常に第１包装体１２と第２包装体１３それぞれの内部においてノズル１５近くにあり、次回使用するときに、チューブ容器２２を押圧するとすぐに第１剤と第２剤を吐出させることができ、使い勝手がよい。また、第１剤又は第２剤中に空気との接触をできるだけ避けたい成分を含むような染毛剤の場合にも使用することができる。さらに、使用のたびに第１包装体１２と第２包装体１３が徐々に縮んでいくため、その収縮程度で第１剤と第２剤の残量を確認することができる。
【００４１】
・  チューブ容器２２を押圧することによって第１剤と第２剤が同時に吐出されるため、第１剤と第２剤をそれぞれ吐出させる手間が不要であり、便利である。
【００４２】
・  チューブ容器２２は押圧を止めると元の形状に回復するため、その外観を良好に保持することができる。
・  シート材１７のアルミニウムフィルム１８の厚みを５〜２０μｍとすることにより、第１及び第２包装体１２，１３から中身を吐出させるときの容易さを維持しつつ、第１剤中の染料やアルカリ剤の透過を確実に防止することができる。
【００４３】
・  第１剤と第２剤の粘度を１０００〜１０００００ｃｐｓとすることにより、ブラシ等にとったときに垂れ落ちるのを防止することができる。また、第１及び第２包装体１２，１３から吐出させるのが容易であるとともに、延びが良く、髪への付着性も良いため髪全体に均一に塗布することが容易である。さらに、その粘度５０００〜５００００ｃｐｓとすることにより上記の効果を一層向上させることができる。
【００４４】
・  第１剤と第２剤の粘度の比を１：５〜５：１とすることにより、チューブ容器２２を押圧したときに吐出される第１剤と第２剤の量をほぼ等しくすることができる。従って、第１剤と第２剤を同量ずつ混合することが望ましい二剤式染毛剤の場合には、その吐出された第１剤と第２剤を混合して髪に塗布することにより、期待する染毛効果を得ることができる。さらに、その比を１：２〜２：１の範囲とすることにより上記の効果を一層向上させることができる。
【００４５】
・  チューブ容器２２を透明又は半透明状に形成することにより、第１包装体１２と第２包装体１３の収縮の程度をチューブ容器２２の外から目視することができ、第１剤と第２剤の残量を容易に確認することができる。
（第２実施形態）
次に、この発明の第２実施形態を前記第１実施形態と異なる点を中心にして図５及び図６に従って説明する。
【００４６】
図５（ａ）に示すように、この第２実施形態においては、第１及び第２包装体１２，１３の各ノズル１５の外周面に、その周方向に延びる環状突起３２が設けられている。
【００４７】
また、第３包装体１４は有底円筒状の収容容器３３と、その収容容器３３の上端開口部に接続された櫛体３４とから構成されている。収容容器３３は、前記第１実施形態のチューブ容器２２と同様、可撓性を有する合成樹脂により形成され、好ましくは透明又は半透明状に形成される。
図５（ｂ）に示すように、収容容器３３の下面には嵌合凹所３５が形成され、この嵌合凹所３５に逆止弁２９が嵌合されている。逆止弁２９には図５（ａ）中の上方向にのみ開く弁体３１が形成され、これにより収容容器３３の外部から内部への空気の流入は許容され、内部から外部への空気の流出は阻止されるようになっている。
【００４８】
図５（ａ）に示すように、櫛体３４は、有蓋円筒状をなす蓋部３６において収容容器３３に着脱可能に接続され、収容容器３３の上端開口部を閉塞するようになっている。蓋部３６の上端内面には一対の取付孔２６が形成され、この取付孔２６の内周面には周方向に延びる周溝３７が形成されている。そして、前記第１包装体１２と第２包装体１３のノズル１５は各取付孔２６に挿入され、ノズル１５の環状突起３２と取付孔２６の周溝３７とが互いに嵌合することによって第１包装体１２と第２包装体１３が櫛体３４に離脱可能に固定されている。
【００４９】
また、蓋部３６の上面には棒状の軸部３８が立設され、その軸部３８の一側方には多数の櫛歯３９が突設されている。軸部３８は内部が肉抜きされて中空に形成されており、この中空により構成される連通路４０は、蓋部３６において二つに分岐して前記取付孔２６に連通されている。また、この連通路４０は、上下両端の二つの櫛歯３９を除いた各櫛歯３９にも分岐し、各櫛歯３９の両側面に設けられた吐出口２３において開口している。
【００５０】
さて、この染毛剤容器１１に収容された二剤式染毛剤を使用する場合には、まず収容容器３３を押圧し、収容容器３３を押し潰す。すると、収容容器３３の内部が加圧され、第１包装体１２と第２包装体１３が収縮される。その結果、各包装体１２，１３の内部に収容された第１剤と第２剤がノズル１５からそれぞれ同時に吐出され、連通路４０を経由して各櫛歯３９の吐出口２３から吐出される。第１剤と第２剤は連通路４０を通過する過程で徐々に混合され、吐出口２３から吐出されるときには完全に混合された染毛剤となっている。そして、吐出された染毛剤は隣り合う櫛歯３９間に保持され、その状態で櫛体３４で髪を梳くことにより髪に染毛剤が塗布される。
【００５１】
なお、収容容器３３を押圧したときには、第１実施形態と同様逆止弁２９の働きにより、収容容器３３の内部から外部への空気の流出が阻止される。従って、逆止弁２９から圧力が抜けることはなく、内圧の上昇はそのまま第１包装体１２と第２包装体１３の収縮に寄与することとなる。
【００５２】
次に、収容容器３３の押圧を止めると、第１剤と第２剤の吐出が停止される。このとき、収容容器３３が押し潰された状態から復元しようとする力によって収容容器３３の内部は減圧される。すると、逆止弁２９の働きにより、収容容器３３の外部から内部へ空気が流入し、その結果収容容器３３は元の形状に回復する。一方、第１包装体１２と第２包装体１３は、収容容器３３の内部へ流入した空気によって収縮した状態が維持され、元の形状に回復することはない。
【００５３】
また、第１及び第２包装体１２，１３の中身が無くなったときには、図６に示すように、染毛剤容器１１を、櫛体３４と第１及び第２包装体１２，１３と収容容器３３とに分離する。この分離はまず櫛体３４と収容容器３３とを分離し、さらに櫛体３４に接続された第１及び第２包装体１２，１３を分離して完了する。そして、第１及び第２包装体１２，１３に第１剤と第２剤をそれぞれ詰め直す、あるいは第１剤と第２剤がそれぞれ収容された新たな第１及び第２包装体１２，１３に交換することにより、再び染毛剤容器１１として使用することが可能となる。
【００５４】
従って、第２実施形態の染毛剤容器１１によれば、第１剤と第２剤が混合された状態で吐出口２３から吐出されるため、トレイ等に吐出させてから混合して使用するタイプのものに比べて手間がかからず便利である。
【００５５】
また、第１包装体１２と第２包装体１３が櫛体３４に対して離脱可能に固定されているため、第１及び第２包装体１２，１３の中身が無くなっても、少なくとも櫛体３４と収容容器３３を再利用することができる。
【００５６】
さらに、収容容器３３を透明又は半透明状に形成することにより、第１包装体１２と第２包装体１３の収縮の程度を収容容器３３の外から目視することができ、第１剤と第２剤の残量を容易に確認することができる。
（第３実施形態）
次に、この発明の第３実施形態を前記第２実施形態と異なる点を中心にして図７に従って説明する。
【００５７】
この第３実施形態においては、蓋部３６の上面に基台４１が設けられ、この基台４１の上面に多数の櫛歯３９が立設されている。基台４１の内部には連通路４０が形成され、蓋部３６において分岐して取付孔２６に連通されるとともに、左右両端の四つの櫛歯３９を除いた各櫛歯３９にも分岐し、各櫛歯３９の両側面に設けられた吐出口２３において開口している。そして、第１及び第２包装体１２，１３から吐出された第１剤及び第２剤は、連通路４０を経由して各櫛歯３９の吐出口２３から吐出されるようになっている。
【００５８】
連通路４０には、第１及び第２包装体１２，１３から吐出された第１剤及び第２剤が合流する位置に、邪魔板４２が複数設けられている。そして、第１剤と第２剤は、この邪魔板４２によって連通路４０内を曲がりくねった形で通過し、その過程で両者が混合されるようになっている。
【００５９】
また、連通路４０は、邪魔板４２の設けられた位置と櫛歯３９との間において、櫛歯３９に向かうほど幅広となるテーパ状に形成されている。そして、これにより第１剤と第２剤を混合してなる染毛剤が各櫛歯３９に均等に分配されるようになっている。
【００６０】
第３実施形態の染毛剤容器１１によれば、邪魔板４２により第１剤と第２剤が連通路４０内を曲がりくねった形で通過するため、連通路４０が短くても第１剤と第２剤を確実に混合させることができる。従って、第２実施形態に比べて櫛体３４をコンパクトにすることができる。
【００６１】
なお、前記各実施形態を次のように変更して構成することもできる。
・  アルミニウムフィルム１８に代えてシリカ蒸着膜を中間層とするシート材１７によって第１及び第２包装体１２，１３を形成するように変更すること。このように構成した場合、染料やアルカリ剤がシート材１７を透過するのをシリカ蒸着膜によって防止することができる。このため、前記各実施形態と同様に、第１剤中の染料やアルカリ剤が保存時に次第に減少するのを防止することができる。
【００６２】
・  前記各実施形態において、第２包装体１３の凹部２０を省略すること。このように構成した場合でも、第２包装体１３を膨張させるほどの酸素が発生するおそれのない染毛剤には適用することができる。
【００６３】
・  第１及び第２包装体１２，１３の内部から外部への流体の流出を許容し、外部から内部への流入を阻止する第２の逆止弁を、第１及び第２包装体１２，１３のノズル１５又は櫛体３４の連通路４０に設けること。このように構成した場合、チューブ容器２２又は収容容器３３の押圧を止めたときに、第１包装体１２と第２包装体１３に空気が流入したり、一旦吐出させた第１剤又は第２剤が吸入されたりするのを確実に防止することができる。
【００６４】
・  第２包装体１３のアルミニウムフィルム１８を全て省略し、合成樹脂製のフィルムのみからなる酸素透過性のシート材１７によって第２包装体１３を形成するように変更すること。このように構成した場合、第２包装体１３の表面全体において酸素を透過することができるため、第２剤中の過酸化水素の分解によって生じる酸素をより効率的に排出することができる。
【００６５】
・  前記各実施形態においては、第２包装体１３に外表面側に開口するように凹部２０を形成したが、内表面側に開口するように変更して形成すること。即ち、内層側の樹脂フィルム１９ｂとアルミニウムフィルム１８とに互いに連通するように貫通孔２１をそれぞれ形成することによって凹部２０を構成すること。あるいは、アルミニウムフィルム１８にのみ貫通孔２１を設けて酸素透過部とすること。このように構成した場合、第２包装体１３の外表面に凹凸を形成することなく各実施形態と同様の効果を奏することができる。
【００６６】
次に、前記各実施形態から把握できる技術的思想について以下に記載する。
（１）  前記第２包装体の少なくとも一部に酸素透過部を設けたことを特徴とする染毛剤容器。
【００６７】
このように構成した場合、第２剤中の過酸化水素が分解されて生じる酸素を第２包装体の外に排出することができるため、二剤式染毛剤の第２剤の保存安定性を向上させることができる。
【００６８】
（２）  前記第１包装体を少なくともアルミニウムフィルム又はシリカ蒸着膜を含む積層体によって形成したこと特徴とする染毛剤容器。
【００６９】
このように構成した場合、第１剤中の染料やアルカリ剤が第１包装体から漏出するのを確実に防止することができる。
（３）  前記第３包装体に、第１包装体と第２包装体からそれぞれ吐出された第１剤と第２剤を第３包装体の一つの吐出口に対して収束させるための連通路を設けたことを特徴とする染毛剤容器。
【００７０】
このように構成した場合、第１剤と第２剤が混合された状態で第３包装体の吐出口から吐出されるため、吐出後に第１剤と第２剤を混合する手間が不要である。
【００７１】
（４）  前記第２包装体をアルミニウムフィルム又はシリカ蒸着膜と樹脂フィルムからなる積層体によって形成するとともに、前記酸素透過部がそのアルミニウムフィルム又はシリカ蒸着膜に少なくとも一つの貫通孔を形成することによって構成されることを特徴とする染毛剤容器。
【００７２】
このように構成した場合、この貫通孔を形成した位置においては積層体が樹脂フィルムのみで構成されるため、この位置で酸素を透過することができる。従って、第２剤中の過酸化水素が分解されて生じる酸素を第２包装体の外部に確実に排出することができる。
【００７３】
【発明の効果】
この発明は、以上のように構成されているため、次のような効果を奏する。
請求項１に記載の発明の染毛剤容器によれば、二剤式染毛剤の第１剤の保存安定性を向上させることができる。
【００７４】
請求項２に記載の発明の染毛剤容器によれば、請求項１に記載の発明の効果に加え、少なくとも第３包装体を再利用することができる。
【図面の簡単な説明】
【図１】  この発明の染毛剤容器の第１実施形態を示す分解斜視図。
【図２】  同じく染毛剤容器の断面図。
【図３】  逆止弁を示す拡大断面図。
【図４】  （ａ）は第１及び第２包装体を形成するシート材を示す拡大断面図、（ｂ）は第２包装体の凹部を示す拡大断面図。
【図５】  （ａ）はこの発明の染毛剤容器の第２実施形態を示す断面図、（ｂ）は逆止弁を示す拡大断面図。
【図６】  同じく染毛剤容器の分解断面図。
【図７】  この発明の染毛剤容器の第３実施形態を示す断面図。
【符号の説明】
１１…染毛剤容器、１２…第１包装体、１３…第２包装体、１４…第３包装体、２３…第３包装体の吐出口、２９…逆止弁。
【図１】
0004364351.tif 000002
【図２】
0004364351.tif 000003
【図３】
0004364351.tif 000004
【図４】
0004364351.tif 000005
【図５】
0004364351.tif 000006
【図６】
0004364351.tif 000007
【図７】
0004364351.tif 000008